(57)【要約】【課題】煤じんを捕集するために使用される電気集じん機において、堆積した煤じんを十分に洗い落とすことができることを目的とする。【解決手段】洗浄水保持手段としてのドレンパン１１の側壁部の一部または全部が集じんユニット２の洗浄時は伸長または上昇し、非洗浄時は収縮または下降することが出来るという構成にしたことにより、集じんユニット２を広く全体的に洗浄水に浸漬することができ、洗浄水攪拌手段としての攪拌ブロワノズル８で洗浄水１５を攪拌することにより、洗浄水が接するおよそ全ての部分で十分な洗浄効果を得ることができる。【選択図】図１
2015058374.tif 000002
【特許請求の範囲】
【請求項１】
帯電部と集じん部からなる集じんユニットと、
前記集じんユニットの上方に設けられ、前記集じんユニットを洗浄する集じんユニット洗浄手段と、
前記集じんユニットの下方に設けられ、前記集じんユニット洗浄手段から吹出される洗浄水を保持する洗浄水保持手段と、
前記洗浄水保持手段の底部に設けられ、前記洗浄水保持手段に保持された洗浄水を攪拌する洗浄水攪拌手段とを有し、
前記洗浄水保持手段の側壁部の一部または全部は、昇降手段に接続され、前記昇降手段により昇降自在であることを特徴とする電気集じん機。
【請求項２】
前記昇降手段に接続された前記側壁部の一部または全部の上端は、前記集じんユニットの洗浄時は前記集じんユニットの半分より上まで上昇し、前記集じんユニットの非洗浄時は前記集じんユニットの半分より下まで下降することを特徴とする請求項１に記載の電気集じん機。
【請求項３】
前記昇降手段に接続された前記側壁部の一部または全部の上端は、前記集じんユニットの洗浄時は前記集じんユニットの上面まで上昇し、前記集じんユニットの非洗浄時は前記集じんユニットの下面まで下降することを特徴とする請求項２に記載の電気集じん機。
【請求項４】
前記側壁部は、前記集じんユニットの内部を通過する気流方向に対向する対向面と、前記気流方向に対向しない非対向面からなり、
前記対向面は、前記昇降手段に接続され、前記昇降手段により昇降自在であり、
前記非対向面は、前記昇降手段に接続されず、昇降しないことを特徴とする請求項１〜３の何れか１項に記載の電気集じん機。
【発明の詳細な説明】
【技術分野】
【０００１】
本発明は、自動車用トンネル等において、トンネル内の煤じんを捕集するために使用される電機集塵機の捕集後の煤じんを除去するための洗浄機構に関するものである。
【背景技術】
【０００２】
従来、この種の電気集じん機は、洗浄ノズルを用いて洗浄を行うものが知られている（例えば、特許文献１参照）。
【０００３】
以下、その電気集じん機について図９を参照しながら説明する。
【０００４】
図９に示すように、ユニットケース１０１の集じん室内に帯電部１０２、集じん部１０３、洗浄ノズル１０４、入口ダンパ１０５、出口ダンパ１０６などを組み込んで構成されている。洗浄ノズル１０４は給水配管１０７、送水ポンプ１０８を介して洗浄水源に接続されており、定期的に入口ダンパ１０５、出口ダンパ１０６を閉じた上で洗浄ノズル１０４より帯電部１０２、集じん部１０３に洗浄水を吹付けて電極板に堆積している煤じんを洗い落とすようにしている。なお、１０９は水洗浄により生じた煤じんドレンの回収、処理装置である。
【先行技術文献】
【特許文献】
【０００５】
【特許文献１】特開平４−２４４２４９号公報
【発明の概要】
【発明が解決しようとする課題】
【０００６】
このような従来の電気集じん機においては、洗浄ノズルからの洗浄水の吹付けにより堆積した煤じんを洗い落とす構成となっていたので、例えば電極板を支持している金具などにより洗浄ノズルから吹付けられた洗浄水が直接かからない部分については堆積した煤じんを十分に洗い落とすことが出来ないという課題を有していた。
【０００７】
そこで本発明は、上記従来の課題を解決するものであり、洗浄ノズルから吹付けられた洗浄水が直接かからない部分についても堆積した煤じんを十分に洗い落とすことが出来る電気集じん機を提供することを目的とする。
【課題を解決するための手段】
【０００８】
そして、この目的を達成するために、本発明は、帯電部と集じん部からなる集じんユニットと、前記集じんユニットの上方に設けられ、前記集じんユニットを洗浄する集じんユニット洗浄手段と、前記集じんユニットの下方に設けられ、前記集じんユニット洗浄手段から吹出される洗浄水を保持する洗浄水保持手段と、前記洗浄水保持手段の底部に設けられ、前記洗浄水保持手段に保持された洗浄水を攪拌する洗浄水攪拌手段とを有し、前記洗浄水保持手段の側壁部の一部または全部は、昇降手段に接続され、前記昇降手段により昇降自在であることを特徴とした電気集じん機としたものであり、これにより所期の目的を達成するものである。
【発明の効果】
【０００９】
本発明によれば、洗浄水保持手段の側壁部の一部または全部が、集じんユニット洗浄時は伸長または上昇し、非洗浄時は収縮または下降することが出来るという構成にしたことにより、集じんユニットを広く全体的に洗浄水に浸漬させることができ、洗浄水攪拌手段で洗浄水を攪拌することにより、洗浄水が接するおよそ全ての部分で十分な洗浄効果を得ることができる。
【図面の簡単な説明】
【００１０】
【図１】本発明の実施の形態１の電気集じん機の構成を示す説明図
【図２】本発明の実施の形態１の電気集じん機の構成を示す斜視図
【図３】同電気集じん機の洗浄時の構成を示す説明図
【図４】同電気集じん機の洗浄時の構成を示す斜視図
【図５】本発明の実施の形態２の電気集じん機の非洗浄時の構成を示す斜視図
【図６】本発明の実施の形態２の電気集じん機の洗浄時の構成を示す斜視図
【図７】本発明の実施の形態４の電気集じん機の構成を示す説明図
【図８】本発明の実施の形態５の電気集じん機の構成を示す説明図
【図９】従来の電気集じん機の構成を示す説明図
【発明を実施するための形態】
【００１１】
本発明の請求項１記載の電気集じん機は、帯電部と集じん部からなる集じんユニットと、前記集じんユニットの上方に設けられ、前記集じんユニットを洗浄する集じんユニット洗浄手段と、前記集じんユニットの下方に設けられ、前記集じんユニット洗浄手段から吹出される洗浄水を保持する洗浄水保持手段と、前記洗浄水保持手段の底部に設けられ、前記洗浄水保持手段に保持された洗浄水を攪拌する洗浄水攪拌手段とを有し、前記洗浄水保持手段の側壁部の一部または全部は、昇降手段に接続され、前記昇降手段により昇降自在であるという構成を有する。
【００１２】
これにより、集じんユニットを広く全体的に洗浄水に浸漬することができ、洗浄攪拌手段により洗浄水全体が攪拌されることにより、洗浄水に接している煤じんを十分に洗い落とすことができるという効果を奏する。加えて従来の構成では必要であった集じんユニットの流入側および流出側に配置する洗浄ノズルとそのための洗浄配管が不要となる。また集じんユニット洗浄時の洗浄水の飛散がほとんど無くなるため、従来の電気集じん機で機外への洗浄水の飛散を防止するために流入側と流出側に配置していた入口ダンパおよび出口ダンパが不要となるこのため大幅な機器構成の簡素化および製作費用の低減が図れるという効果を奏する。
【００１３】
また、前記昇降手段に接続された前記側壁部の一部または全部の上端は、前記集じんユニットの洗浄時は前記集じんユニットの半分より上まで上昇し、前記集じんユニットの非洗浄時は前記集じんユニットの半分より下まで下降するという構成にしてもよい。
【００１４】
これにより、前記集じんユニットの少なくとも半分以上を確実に洗浄できるという効果を奏する。
【００１５】
また、前記昇降手段に接続された前記側壁部の一部または全部の上端は、前記集じんユニットの洗浄時は前記集じんユニットの上面まで上昇し、前記集じんユニットの非洗浄時は前記集じんユニットの下面まで下降するという構成にしてもよい。
【００１６】
これにより、前記集じんユニットの洗浄時は前記集じんユニットの上面まで上昇するため、集じんユニットのほぼ全体を確実に洗浄できる。また、前記集じんユニットの非洗浄時は前記集じんユニットの下面まで下降するため、集じんユニットの非洗浄時である通常動作時に、集じんユニットに流れこむ気流が洗浄水保持手段の側壁部によって妨げられないという効果を奏する。
【００１７】
また、前記側壁部は、前記集じんユニットの内部を通過する気流方向に対向する対向面と、前記気流方向に対向しない非対向面からなり、前記対向面は、前記昇降手段に接続され、前記昇降手段により昇降自在であり、前記非対向面は、前記昇降手段に接続されず、昇降しないという構成にしてもよい。
【００１８】
これにより、集じんユニットの内部を通過する気流方向に対向する対向面のみを昇降自在としたことにより、必要な壁面のみを昇降して、請求項１と同様の効果を得ることができる。また、非対向面に可動部分がないことで、部品間のクリアランスを最小にすることができ、装置全体の寸法を小さくできるという効果を奏する。
【００１９】
また、前記洗浄水は、洗浄初期は煤じんの洗い落とし効果を高めるための薬液を添加したものとし、洗浄終期は薬液を添加しない洗浄水を使用する構成としてもよい。これにより、薬液を添加した洗浄水により水だけでは十分に洗浄できない場合でも十分に煤じんを洗い落とすことができるという効果を奏する。
【００２０】
また、前記洗浄水の液面を検知するための検知手段を有する構成にしてもよい。これにより、洗浄水不足による煤じんの洗い落とし不十分や洗浄水過多による洗浄水の無駄発生を防止し、常に最適な洗浄水量で洗浄を行うことができる。また、洗浄バルブの開放時間と水位センサが最適水位を検知するまでの時間を計測することにより、時間が通常と違う場合に洗浄配管系のいずれかの故障を検知することができるという効果を奏する。
【００２１】
また、前記洗浄水の汚濁度を検知するための検知手段を有する構成にしてもよい。これにより、煤じんの付着状況に応じて自動的に洗浄時間を調整することができ、煤じんの付着状況に関わらず常に最短の洗浄時間かつ最小の洗浄水量で十分な洗浄ができるという効果を奏する。
【００２２】
以下、本発明の実施の形態について図面を参照しながら説明する。
【００２３】
（実施の形態１）
図１および図２に示すように、電気集じん機１内には集じんユニット２が組み込まれている。集じんユニット２は帯電部３と集じん部４で構成され、これに図示しない高圧電源から電気を印加することにより、気流２０の空気中の煤じんを捕集する。捕集された煤じんは帯電部３および集じん部４の電極板などに堆積する。
【００２４】
集じんユニット２の上方には洗浄手段としての洗浄ノズル５が設けられている。洗浄ノズル５は、洗浄配管６、洗浄バルブ７と接続され、洗浄配管６、洗浄バルブ７を経由して電気集じん機１の機外へ配管されている。
【００２５】
集じんユニット２の下方には洗浄水保持手段としてのドレンパン１１が配置されている。
【００２６】
ドレンパン１１は、排水管１３、排水バルブ１４と接続され、排水管１３、排水バルブ１４を経由して電気集じん機１の機外へ配管されている。
【００２７】
ドレンパン１１の側面部は、伸縮自在のジャバラ構造をしており、集じんユニット２の洗浄時には集じんユニット２を囲むように、ドレンパン１１は上面が開口した箱状の形状となる。
【００２８】
ドレンパン１１の側面部の上部の１箇所または数箇所が昇降手段としてのエアシリンダ１２と接続されている。なお、エアシリンダ１２の代わりにモータを配置し、ワイヤーまたはチェーンをモータ軸とドレンパンに接続し、モータの回転により巻き上げる構造としても良い。
【００２９】
ドレンパン１１の底部には洗浄水攪拌手段としての攪拌ブロワノズル８が配置されている。攪拌ブロワノズル８は、ブロワ配管９、ブロワ用バルブ１０と接続され、ブロワ配管９、ブロワ用バルブ１０を経由して電気集じん機１の機外へ配管されている。
【００３０】
このような構成で集じんユニット２を洗浄する方法を図３および図４に示す。まず、エアシリンダ１２が動作し、ドレンパン１１の壁面の上端を集じんユニット２の例えば上面以上の位置まで引き上げる。
【００３１】
次に洗浄バルブ７を開放することにより洗浄水１５が洗浄配管６を通って洗浄ノズル５から帯電部３、集じん部４へ吹付けられる。吹付けられた洗浄水１５はドレンパン１１に蓄積され、保持される。洗浄水１５が集じんユニット２を完全に浸漬した時点で洗浄バルブ７を閉鎖して洗浄水１５の流入を停止する。
【００３２】
そして、ブロワ用バルブ１０を開放することにより圧縮空気２１がブロワ配管９を通って攪拌ブロワノズル８より攪拌用空気１６として洗浄水１５内へ放出される。放出された攪拌用空気１６が洗浄水１５内を水面に向かって上昇することにより洗浄水１５は攪拌される。
【００３３】
この攪拌力により集じんユニット２に堆積した煤じんは洗い落とされて洗浄水１５内に拡散される（この洗浄水１５を汚水１７と呼ぶことにする）。
【００３４】
煤じんの洗い落としが十分に行われた時点で排水バルブ１４を開放する。ドレンパン１１内の汚水１７は排水管１３を通って電気集じん機１の機外へ排出される。このときに洗浄バルブ７を開放して洗浄ノズル５から洗浄水１５を放出しながら汚水１７の排出を行うとより確実な汚水１７の排出が行える。これにより集じんユニット２に堆積した煤じんを十分に洗浄することができる。
【００３５】
洗浄が終了した後は、洗浄バルブ７およびブロワ用バルブ１０および排水バルブ１４を閉鎖し、エアシリンダ１２を動作させてドレンパン１１を洗浄動作を行う前の位置である集じんユニット２の下面まで下降させる。これにより通常の集じん状態の形態となる。
【００３６】
本実施の形態の電気集じん機１によれば、集じんユニット２を広く全体的に洗浄水に浸漬することができ、洗浄攪拌手段により洗浄水１５全体が攪拌されることにより、洗浄水１５に接している煤じんを十分に洗い落とすことができる。
【００３７】
これに加えて、従来の構成では必要であった集じんユニットの気流流入側および気流流出側に配置する洗浄ノズルとそのための洗浄配管が不要となる。
【００３８】
さらに、集じんユニット２洗浄時の洗浄水１５の飛散がほとんど無くなるため、従来の電気集じん機で機外への洗浄水の飛散を防止するために流入側と流出側に配置していた入口ダンパおよび出口ダンパが不要となるこのため大幅な機器構成の簡素化および製作費用の低減が図れる。
【００３９】
なお、エアシリンダ１２に接続されたドレンパン１１の側壁部の一部または全部の上端は、集じんユニット２の洗浄時は集じんユニット２の半分より上まで上昇し、集じんユニット２の非洗浄時は集じんユニット２の半分より下まで下降するという構成にしてもよい。これにより集じんユニット２の少なくとも半分以上を確実に洗浄できる。
【００４０】
また、エアシリンダ１２に接続されたドレンパン１１の側壁部の一部または全部の上端は、集じんユニット２の洗浄時は集じんユニット２の上面まで上昇する構成とすれば、集じんユニット２のほぼ全体を確実に洗浄できるため、さらに好ましい。
【００４１】
また、エアシリンダ１２に接続されたドレンパン１１の側壁部の一部または全部の上端は、集じんユニット２の非洗浄時は集じんユニット２の下面まで下降する構成とすれば、集じんユニット２の非洗浄時である通常動作時に、集じんユニット２に流れこむ気流がドレンパン１１の側壁部によって妨げられずに、効果的に集じんできるため、さらに好ましい。
【００４２】
また、本実施の形態においてドレンパン１１の側面部はジャバラ構造（材料は撥水性の布または樹脂）としたが、伸縮性のある例えば板状のゴムを用いてもよい。
【００４３】
また、本実施の形態において洗浄水１５の攪拌に圧縮空気２１を攪拌ブロワノズル８より放出する構造としたが、例えばスクリュー状のものを回転することにより攪拌する構造としてもよく、洗浄水１５全体を攪拌できるものであればよい。
【００４４】
また、ドレンパン１１の側面部を上下動作可能あるいは昇降自在とする理由は煤じんを捕集時に通風路を確保するためであるので、通風の支障となる部分（集じんユニット２の流入側面と流出側面）のみを上下動作可能あるいは昇降自在とする構造でもよい。この構造を実施の形態２で説明する。
【００４５】
（実施の形態２）
図５および図６に示すとおり、ドレンパン１１の構造をドレンパン開閉壁１１ａとドレンパン固定壁１１ｂの組み合わせとする。
【００４６】
図５は電気集じん機の非洗浄時の構成を示す斜視図であり、図６は電気集じん機の洗浄時の構成を示す斜視図である。
【００４７】
ドレンパン開閉壁１１ａは、集じんユニット２の内部を通過する気流２０の方向に対向する対向面となっており、ドレンパン固定壁１１ｂは、気流２０の方向に対向しない非対向面となっている。
【００４８】
ドレンパン開閉壁１１ａはエアシリンダ１２に接続されており、エアシリンダ１２により昇降自在となっている。洗浄時にドレンパン開閉壁１１ａをエアシリンダ１２により上昇させることにより、洗浄水１５または汚水１７を保持することが可能となり、図３および図４で説明した洗浄を行うことができ、同様の効果を得ることができる。
【００４９】
なお、ドレンパン固定壁１１ｂはエアシリンダ１２に接続されておらず、昇降しない構成となっている。
【００５０】
ドレンパン固定壁１１ｂは気流２０の方向に対向しない非対向面となっているため、上昇、下降を行う必要がない。このため、ドレンパン固定壁１１ｂに可動部分を設ける必要がなく、部品間のクリアランスを最小にすることが可能となる。その結果、集じん機の幅寸法をより小さくすることが可能となる。
【００５１】
（実施の形態３）
図２または図４または図６において、洗浄初期の洗浄水１５に洗浄効果を増大させる薬液として例えばクエン酸などを添加して洗浄を行い、汚水１７を排出後、再度水による洗浄を行うことにより、集じんユニット２に堆積した煤じんの組成により水だけでは十分に洗浄できない場合でも十分な洗浄を行うことができる。
【００５２】
（実施の形態４）
図７のように水位センサ１８を配置することにより、図示しない洗浄機能制御設備により洗浄中の洗浄水の水位を監視することができるようになる。これにより、洗浄水１５不足による煤じんの洗い落とし不十分や洗浄水１５過多による洗浄水１５の無駄発生を防止し、常に最適な洗浄水１５の量で洗浄を行うことができる。また、洗浄バルブ７の開放時間と水位センサが最適水位を検知するまでの時間を計測することにより、時間が通常と違う場合に洗浄ノズル５や洗浄配管６の破損や、洗浄バルブ７の故障や、図示しない洗浄水１５の供給設備の故障を検知することができる。
【００５３】
（実施の形態５）
図８のように汚濁度センサ１９を配置することにより、図示しない洗浄機能制御設備により汚水の汚濁度を光の透過度や汚水の導電率などをもとに監視することが出来るようになる。これにより、集じんユニット２に堆積した煤じんが多く、１バッチの洗浄では洗浄が不十分となる場合に自動的に複数バッチの洗浄を行うことにより十分な洗浄ができ、かつ必要最小限のバッチ数で洗浄を完了することができる。
【産業上の利用可能性】
【００５４】
本発明にかかる電気集じん機は、集じんユニットを広く全体的に洗浄水に浸漬することができ、洗浄水攪拌手段で洗浄水を攪拌することにより、洗浄水が接するおよそ全ての部分で十分な洗浄効果を得ることを可能とするものであるので、一般の電気集じん機だけでなく、特に、空気中の浮遊物質を捕集するために使用されるオイルミスト用電気集じん機や工場から排出される煤煙捕集用電気集じん機などでも有用である。
【符号の説明】
【００５５】
１  電気集じん機
２  集じんユニット
３  帯電部
４  集じん部
５  洗浄ノズル
６  洗浄配管
７  洗浄バルブ
８  攪拌ブロワノズル
９  ブロワ配管
１０  ブロワ用バルブ
１１  ドレンパン
１１ａ  ドレンパン開閉壁
１１ｂ  ドレンパン固定壁
１２  エアシリンダ
１３  排水管
１４  排水バルブ
１５  洗浄水
１６  攪拌用空気
１７  汚水
１８  水位センサ
１９  汚濁度センサ
２０  気流
２１  圧縮空気
【図１】
2015058374.tif 000003
【図２】
2015058374.tif 000004
【図３】
2015058374.tif 000005
【図４】
2015058374.tif 000006
【図５】
2015058374.tif 000007
【図６】
2015058374.tif 000008
【図７】
2015058374.tif 000009
【図８】
2015058374.tif 000010
【図９】
2015058374.tif 000011